(57)【要約】【課題】ＨＤＤ１２０が搭載された産業用コンピュータにおいて、ＨＤＤ１２０の異常の原因が警報ブザー等による過大な音圧印加によるものか、それ以外の振動等によるものかを区別できるようにする。【解決手段】異常監視対象のＨＤＤ１２０近傍に発生する音圧を音圧センサ１３０により計測し、音圧計測部１０によって音圧値データに変換し、前記音圧値データが閾値を超えた場合、音圧異常発生とみなし、音圧監視部２０が当該音圧異常発生時刻、音圧値データおよびＨＤＤ１２０のＳ．Ｍ．Ａ．Ｒ．Ｔ属性情報を一組とする音圧異常記録を記録部３０に記録し、書き込み異常監視部５０が、ＨＤＤドライバ４０を介してＨＤＤ１２０のデータ書き込みテストを行わせ、該テストの結果が異常である場合に、音圧異常に起因するＨＤＤ１２０の異常が発生したことを異常発生通知部６０から通知させる。【選択図】  図２
2019109716.tif 000002
【特許請求の範囲】
【請求項１】
ハードディスクドライブが搭載された産業用コンピュータにおいて、
異常監視対象のハードディスクドライブ近傍に発生する音圧を計測し、音圧値データに変換する音圧計測部と、
前記音圧計測部から現在の音圧値データを取得する処理と、取得した音圧値データが閾値を超えたか否かを判定する処理と、前記取得した音圧値データが閾値を超えたと判定された場合、音圧異常が発生したとみなし、当該音圧異常発生時刻、音圧値データおよび前記異常監視対象のハードディスクドライブに内蔵されているＳ．Ｍ．Ａ．Ｒ．Ｔ（Ｓｅｌｆ−Ｍｏｎｉｔｏｒｉｎｇ  Ａｎａｌｙｓｉｓ  ａｎｄ  Ｒｅｐｏｒｔｉｎｇ  Ｔｅｃｈｎｏｌｏｇｙ）属性情報を一組とする音圧異常記録を記録部に記録する音圧異常記録処理とを一定周期で行う音圧監視部と、
前記音圧監視部から出力される音圧異常記録が時系列に蓄積される記録部と、
を備えたことを特徴とする産業用コンピュータのハードディスクドライブ異常検出装置。
【請求項２】
前記Ｓ．Ｍ．Ａ．Ｒ．Ｔ属性情報は、異常監視対象のハードディスクドライブに対する、ＨＤＤドライバによるデータ読み取り時、データ書き込み時に当該ハードディスクドライブに記録されるものであり、
前記記録部に記録されるＳ．Ｍ．Ａ．Ｒ．Ｔ属性情報は、ＨＤＤドライバを介して前記音圧監視部が取得するものであり、
前記音圧監視部は、前記記録部に音圧異常記録を記録した後に、前記異常監視対象のハードディスクドライブへのデータ書き込みテストの実施を要求する処理を行うものであり、
前記データ書き込みテストの実施要求を受けて、前記ＨＤＤドライバによって前記異常監視対象のハードディスクドライブへのデータ書き込みテストを実施させる処理と、前記データ書き込みテストの結果が異常か否かを判定する処理と、前記判定処理結果が異常である場合に、音圧異常に起因するハードディスクドライブの異常発生を通知させる処理とを実行する書き込み異常監視部を備えたことを特徴とする請求項１に記載の産業用コンピュータのハードディスクドライブ異常検出装置。
【請求項３】
前記音圧監視部において取得した音圧値データが２周期連続して閾値を超えたと判定された場合、音圧監視部は、前記記録部への音圧異常記録処理に代えて、音圧値データが最高値を更新したか否かの判定を行い、更新したときは２周期のうち前回の周期での記録部内の音圧値データおよび発生時刻を今回周期での各データに更新する更新処理を行うことを特徴とする請求項１又は２に記載の産業用コンピュータのハードディスクドライブ異常検出装置。
【請求項４】
前記音圧計測部は、前記産業用コンピュータが収納される筐体内であって、該筐体の外壁から所定距離内側に隔てて配設された音圧センサを備えたことを特徴とする請求項１ないし３のいずれか１項に記載の産業用コンピュータのハードディスクドライブ異常検出装置。
【請求項５】
ハードディスクドライブが搭載された産業用コンピュータにおいて、
音圧計測部が、異常監視対象のハードディスクドライブ近傍に発生する音圧を計測し、音圧値データに変換する音圧計測ステップと、
音圧監視部が、前記音圧計測部から現在の音圧値データを取得する処理と、取得した音圧値データが閾値を超えたか否かを判定する処理と、前記取得した音圧値データが閾値を超えたと判定された場合、音圧異常が発生したとみなし、当該音圧異常発生時刻、音圧値データおよび前記異常監視対象のハードディスクドライブに内蔵されているＳ．Ｍ．Ａ．Ｒ．Ｔ（Ｓｅｌｆ−Ｍｏｎｉｔｏｒｉｎｇ  Ａｎａｌｙｓｉｓ  ａｎｄ  Ｒｅｐｏｒｔｉｎｇ  Ｔｅｃｈｎｏｌｏｇｙ）属性情報を一組とする音圧異常記録を記録部に記録する音圧異常記録処理とを一定周期で行う音圧監視ステップと、
を備えたことを特徴とする産業用コンピュータのハードディスクドライブ異常検出方法。
【請求項６】
前記音圧監視ステップは、前記音圧異常記録を記録部に記録する処理の後に、前記異常監視対象のハードディスクドライブへのデータ書き込みテストの実施を要求するステップを有し、
書き込み異常監視部が、前記データ書き込みテストの実施要求を受けて、ＨＤＤドライバによって前記異常監視対象のハードディスクドライブへのデータ書き込みテストを実施させるステップと、
書き込み異常監視部が、前記データ書き込みテストの結果が異常か否かを判定するステップと、
書き込み異常監視部が、前記判定結果が異常である場合に、音圧異常に起因するハードディスクドライブの異常発生を通知させるステップと、
を備えたことを特徴とする請求項５に記載の産業用コンピュータのハードディスクドライブ異常検出方法。
【請求項７】
前記音圧監視ステップは、取得した音圧値データが２周期連続して閾値を超えたと判定された場合、前記記録部への音圧異常記録処理に代えて、音圧値データが最高値を更新したか否かの判定を行い、更新したときは２周期のうち前回の周期での記録部内の音圧値データおよび発生時刻を今回周期での各データに更新する更新処理を行うことを特徴とする請求項５又は６に記載の産業用コンピュータのハードディスクドライブ異常検出方法。
【発明の詳細な説明】
【技術分野】
【０００１】
本発明は、ハードディスクドライブ（ＨＤＤ）（記憶媒体としてのディスクとそれを駆動するディスクドライブを備えた記憶装置；以下、ＨＤＤと称することもある）を搭載する産業用パーソナルコンピュータ等において、ＨＤＤ自身や筐体の振動だけではなく、筐体内部で発生する音圧レベルの変化を検知し、異常判定・故障予兆判定を行う装置、方法に関する。
【背景技術】
【０００２】
ＨＤＤは一般的に振動に弱く、原則として外部振動の無い環境での使用が推奨されている。外部振動が発生し固有の共振周波数の振動が大きくなると、ホストコンピュータからのリードおよびライト要求によるヘッドの移動が阻害され、結果としてリードおよびライト要求が失敗し、システム全体としてのストレージ性能が維持できなくなる。
【０００３】
ＨＤＤを搭載する産業用コンピュータは、振動を含めて劣悪な環境で使用されることも特異なことではなく、ＨＤＤへのアクセス不良や、ＨＤＤへのコマンド要求がエラーになる等、動作障害となって顕在化することも少なくない。
【０００４】
産業用コンピュータにおいては、ＲＡＳ（Ｒｅｌｉａｂｉｌｉｔｙ：信頼性、Ａｖａｉｌａｂｉｌｉｔｙ：可用性、Ｓｅｒｖｉｃｅａｂｉｌｉｔｙ：保守性）機能の一部として、ＨＤＤのファームウェア（Ｆ／Ｗ）がＨＤＤ自体に表１のようなＳ．Ｍ．Ａ．Ｒ．Ｔ（Ｓｅｌｆ−Ｍｏｎｉｔｏｒｉｎｇ  Ａｎａｌｙｓｉｓ  ａｎｄ  Ｒｅｐｏｒｔｉｎｇ  Ｔｅｃｈｎｏｌｏｇｙ）属性を記録することがなされる。
【０００５】
【表１】
2019109716.tif 000003
【０００６】
尚、例えば特許文献１には、仮想ディスクを構成するディスク毎のＳ．Ｍ．Ａ．Ｒ．Ｔ属性を取得する技術が記載されている。
【０００７】
また、振動や衝撃に起因するＳ．Ｍ．Ａ．Ｒ．Ｔ属性値を周期監視し、閾値を超えた時点でＨＤＤの異常として通知するような機能を持つものもある。
【先行技術文献】
【特許文献】
【０００８】
【特許文献１】特開２０１０−２８７０１９号公報
【発明の概要】
【発明が解決しようとする課題】
【０００９】
しかしながら、特許文献１を含めた従来技術では、仮に振動要因でＨＤＤ異常が発生したことが判明しても、振動発生源を特定することは通常非常に困難であり、対策を講じる段階にまで進めない場合が多い。
【００１０】
少なくとも設置環境の振動対策が不十分だったために起きた現象やコンピュータ自身の自己振動によるものなのか、それとも警報ブザー等による過大な音圧印加によるものなのか、の発生源の切り分けが必要である。
【００１１】
本発明は上記課題を解決するものであり、その目的は、ハードディスクドライブが搭載された産業用コンピュータにおいて、ハードディスクドライブ近傍の音圧異常の発生を検知して記録し、その記録された音圧異常記録に基づいて、異常発生が過大な音圧印加によるものか、又はそれ以外の例えば振動等によるものかを区別することができるハードディスクドライブ異常検出装置、方法を提供することにある。
【課題を解決するための手段】
【００１２】
上記課題を解決するための請求項１に記載の産業用コンピュータのハードディスクドライブ異常検出装置は、ハードディスクドライブが搭載された産業用コンピュータにおいて、
異常監視対象のハードディスクドライブ近傍に発生する音圧を計測し、音圧値データに変換する音圧計測部と、
前記音圧計測部から現在の音圧値データを取得する処理と、取得した音圧値データが閾値を超えたか否かを判定する処理と、前記取得した音圧値データが閾値を超えたと判定された場合、音圧異常が発生したとみなし、当該音圧異常発生時刻、音圧値データおよび前記異常監視対象のハードディスクドライブに内蔵されているＳ．Ｍ．Ａ．Ｒ．Ｔ（Ｓｅｌｆ−Ｍｏｎｉｔｏｒｉｎｇ  Ａｎａｌｙｓｉｓ  ａｎｄ  Ｒｅｐｏｒｔｉｎｇ  Ｔｅｃｈｎｏｌｏｇｙ）属性情報を一組とする音圧異常記録を記録部に記録する音圧異常記録処理とを一定周期で行う音圧監視部と、
前記音圧監視部から出力される音圧異常記録が時系列に蓄積される記録部と、
を備えたことを特徴とする。
【００１３】
また、請求項２に記載の産業用コンピュータのハードディスクドライブ異常検出装置は、請求項１において、
前記Ｓ．Ｍ．Ａ．Ｒ．Ｔ属性情報は、異常監視対象のハードディスクドライブに対する、ＨＤＤドライバによるデータ読み取り時、データ書き込み時に当該ハードディスクドライブに記録されるものであり、
前記記録部に記録されるＳ．Ｍ．Ａ．Ｒ．Ｔ属性情報は、ＨＤＤドライバを介して前記音圧監視部が取得するものであり、
前記音圧監視部は、前記記録部に音圧異常記録を記録した後に、前記異常監視対象のハードディスクドライブへのデータ書き込みテストの実施を要求する処理を行うものであり、
前記データ書き込みテストの実施要求を受けて、前記ＨＤＤドライバによって前記異常監視対象のハードディスクドライブへのデータ書き込みテストを実施させる処理と、前記データ書き込みテストの結果が異常か否かを判定する処理と、前記判定処理結果が異常である場合に、音圧異常に起因するハードディスクドライブの異常発生を通知させる処理とを実行する書き込み異常監視部を備えたことを特徴とする。
【００１４】
また、請求項３に記載の産業用コンピュータのハードディスクドライブ異常検出装置は、請求項１又は２において、
前記音圧監視部において取得した音圧値データが２周期連続して閾値を超えたと判定された場合、音圧監視部は、前記記録部への音圧異常記録処理に代えて、音圧値データが最高値を更新したか否かの判定を行い、更新したときは２周期のうち前回の周期での記録部内の音圧値データおよび発生時刻を今回周期での各データに更新する更新処理を行うことを特徴とする。
【００１５】
また、請求項４に記載の産業用コンピュータのハードディスクドライブ異常検出装置は、請求項１ないし３のいずれか１項において、
前記音圧計測部は、前記産業用コンピュータが収納される筐体内であって、該筐体の外壁から所定距離内側に隔てて配設された音圧センサを備えたことを特徴とする。
【００１６】
また、請求項５に記載の産業用コンピュータのハードディスクドライブ異常検出方法は、
ハードディスクドライブが搭載された産業用コンピュータにおいて、
音圧計測部が、異常監視対象のハードディスクドライブ近傍に発生する音圧を計測し、音圧値データに変換する音圧計測ステップと、
音圧監視部が、前記音圧計測部から現在の音圧値データを取得する処理と、取得した音圧値データが閾値を超えたか否かを判定する処理と、前記取得した音圧値データが閾値を超えたと判定された場合、音圧異常が発生したとみなし、当該音圧異常発生時刻、音圧値データおよび前記異常監視対象のハードディスクドライブに内蔵されているＳ．Ｍ．Ａ．Ｒ．Ｔ（Ｓｅｌｆ−Ｍｏｎｉｔｏｒｉｎｇ  Ａｎａｌｙｓｉｓ  ａｎｄ  Ｒｅｐｏｒｔｉｎｇ  Ｔｅｃｈｎｏｌｏｇｙ）属性情報を一組とする音圧異常記録を記録部に記録する音圧異常記録処理とを一定周期で行う音圧監視ステップと、
を備えたことを特徴とする。
【００１７】
また、請求項６に記載の産業用コンピュータのハードディスクドライブ異常検出方法は、請求項５において、
前記音圧監視ステップは、前記音圧異常記録を記録部に記録する処理の後に、前記異常監視対象のハードディスクドライブへのデータ書き込みテストの実施を要求するステップを有し、
書き込み異常監視部が、前記データ書き込みテストの実施要求を受けて、ＨＤＤドライバによって前記異常監視対象のハードディスクドライブへのデータ書き込みテストを実施させるステップと、
書き込み異常監視部が、前記データ書き込みテストの結果が異常か否かを判定するステップと、
書き込み異常監視部が、前記判定結果が異常である場合に、音圧異常に起因するハードディスクドライブの異常発生を通知させるステップと、
を備えたことを特徴とする。
【００１８】
また、請求項７に記載の産業用コンピュータのハードディスクドライブ異常検出方法は、請求項５又は６において、
前記音圧監視ステップは、取得した音圧値データが２周期連続して閾値を超えたと判定された場合、前記記録部への音圧異常記録処理に代えて、音圧値データが最高値を更新したか否かの判定を行い、更新したときは２周期のうち前回の周期での記録部内の音圧値データおよび発生時刻を今回周期での各データに更新する更新処理を行うことを特徴とする。
【発明の効果】
【００１９】
（１）請求項１〜７に記載の発明によれば、ハードディスクドライブが搭載された産業用コンピュータにおいて、音圧を監視して音圧異常の発生を検知することが可能となり、また検知したときの音圧異常発生時刻、音圧データおよびＳ．Ｍ．Ａ．Ｒ．Ｔ属性情報を一組とする音圧異常記録を時系列に蓄積することができる。この音圧異常記録に基づいて、異常発生が、例えば警報ブザー等による過大な音圧印加によるものか、又はそれ以外の例えば振動等によるものかを区別することができる。
（２）請求項２、６に記載の発明によれば、音圧異常発生時に自動的に異常監視対象のハードディスクドライブへのデータ書き込みテストを行い、テストの結果が異常である場合に、音圧異常に起因するハードディスクドライブの異常発生を通知することができる。
（３）請求項３、７に記載の発明によれば、音圧異常が継続しているときは、新たな音圧異常記録を追加記録せず記録部内の音圧値データを最高値に更新することができる。このため、音圧異常の継続中に、当該継続中の音圧異常に対応する唯一の音圧異常記録として記録部に蓄積することができ、記録部の必要記録容量を低減することができる。
（４）請求項４に記載の発明によれば、筐体に発生する振動の影響を受けることなく正確に音圧を計測することができる。
【図面の簡単な説明】
【００２０】
【図１】本発明の実施形態例における産業用コンピュータ筐体内の構成図。
【図２】本発明の実施形態例による産業用コンピュータのハードディスクドライブ異常検出装置の構成図。
【図３】本発明の実施形態例における音圧監視部が実行する処理のフローチャート。
【図４】本発明の実施形態例における記録部に記録される音圧異常記録の例を示す説明図。
【図５】本発明の実施形態例における書き込み異常監視部が実行する処理のフローチャート。
【発明を実施するための形態】
【００２１】
以下、図面を参照しながら本発明の実施の形態を説明するが、本発明は下記の実施形態例に限定されるものではない。本実施形態例では、ＨＤＤが搭載された産業用コンピュータにおいて、警報ブザー等による過大な音圧印加が原因によるＨＤＤ異常を特定するため、音圧を監視し、閾値を超えた場合に記録として音圧測定値とＳ．Ｍ．Ａ．Ｒ．Ｔ属性を時系列に蓄積する。また、ＨＤＤへの書き込みテストを行い、音圧を原因とする異常発生について調査するように構成した。
【００２２】
図１は、本実施形態例における産業用コンピュータの筐体１００内の構成を表し、図２は本実施形態例におけるＣＰＵユニット内の各部の構成を表している。
【００２３】
図１において、筐体１００内には、演算装置、不揮発性メモリなどを備えてソフトウェアを実行するＣＰＵユニット１１０、異常監視対象のＨＤＤ１２０、警報ブザー音などの設置環境の音圧を測定する音圧センサ１３０等が収納されている。
【００２４】
音圧センサ１３０は、外部で発生した音によりＨＤＤ１２０近傍に発生する音圧を正確に計測できるように、筐体１００の外周壁を構成する筐体板金１０１から例えば数ｃｍ内側に隔てて、且つＨＤＤ１２０の近傍に配設された音圧センサ取付け用部材１３１に取り付けられ固定されている。
【００２５】
１０２は筐体１００の蓋板（天井板）である。尚、異常監視対象のＨＤＤ１２０は複数台を備える場合もある。
【００２６】
ＣＰＵユニット１１０は図２に示す各部を備えている。図２において、図１と同一部分は同一符号をもって示している。
【００２７】
１０は、音圧センサ１３０の測定値を音圧値データへデジタル変換する音圧計測部である。
【００２８】
２０は、後述する図３の処理を実行して音圧計測部１０の音圧値データを監視し、音圧値データが閾値を超える場合、その音圧値データと、当該音圧異常発生時刻およびＨＤＤ１２０に内蔵されているＳ．Ｍ．Ａ．Ｒ．Ｔ属性情報などの関連情報とを一組とする音圧異常記録を記録部３０に記録する音圧監視部である。
【００２９】
記録部３０には、例えば図４に示すように音圧監視部２０から出力される音圧異常記録が時系列に蓄積される。
【００３０】
また音圧監視部２０には、記録部３０に音圧異常記録を記録した後に、ＨＤＤ１２０へのデータ書き込みテストの実施を要求する機能も有している。
【００３１】
４０は、ＨＤＤ１２０のデータ読み取り、データ書き込みを行い、その際のＳ．Ｍ．Ａ．Ｒ．Ｔ属性情報をＨＤＤ１２０に記録するＨＤＤドライバである。
【００３２】
尚、音圧監視部２０は、音圧計測部１０の音圧値データが閾値を超える場合に、ＨＤＤドライバ４０を介してＨＤＤ１２０のＳ．Ｍ．Ａ．Ｒ．Ｔ属性情報を取得して音圧異常記録を記録部３０に記録するものである。
【００３３】
５０は、音圧監視部２０からのデータ書き込みテストの実施要求を受けて、後述の図５の処理を実行する書き込み異常監視部であり、ＨＤＤドライバ４０によってＨＤＤ１２０へのデータ書き込みテストを実施させる機能と、前記データ書き込みテストの結果が異常か否かを判定する機能と、前記判定結果が異常である場合に、音圧異常に起因するＨＤＤ１２０の異常発生を異常発生通知部６０に通知する機能とを有している。
【００３４】
異常発生通知部６０は、前記音圧異常発生時、使用者や点検員に異常発生を知らせる。
【００３５】
次に、上記のように構成された装置の動作を図３および図５のフローチャートとともに説明する。まず音圧監視部２０は、図３のステップＳ１〜Ｓ５の処理を一定周期、例えば１ｓｅｃで繰り返し実行して音圧監視を行う。
【００３６】
ステップＳ１では、音圧計測部１０から現在の音圧値データを取得する。
【００３７】
ステップＳ２では、前記音圧値データを閾値と比較し、音圧値データが閾値を超えたか否かを判定する。
【００３８】
ステップＳ２の比較判定の結果、音圧値データが閾値を超えたと判定された場合、音圧異常が新たに発生したとみなし、ステップＳ３において音圧異常記録処理を行う。
【００３９】
すなわちステップＳ３では、当該音圧異常発生時刻、音圧値データおよびＨＤＤドライバ４０を介して取得したＨＤＤ１２０のＳ．Ｍ．Ａ．Ｒ．Ｔ属性情報を１レコードとして記録部３０に保存する。前記音圧異常が新たに発生する都度、レコードを追加し、図４のように時系列データとして記録部３０に蓄積する。
【００４０】
尚、図４のＳ．Ｍ．Ａ．Ｒ．Ｔ属性のＩＤであるＢＦ，Ｄ２，Ｄ３，Ｄ４，ＤＣ，ＤＤの各々の値の欄には、前記表１のＳ．Ｍ．Ａ．Ｒ．ＴＩＤであるＢＦ，Ｄ２，Ｄ３，Ｄ４，ＤＣ，ＤＤの各内容を表す値が記録される。
【００４１】
ステップＳ４では、音圧監視部２０がステップＳ３の処理の後に、異常監視対象のＨＤＤ１２０へのデータ書き込みテストの実施を、書き込み異常監視部５０に対して要求する。
【００４２】
また、前記ステップＳ２の判定処理にて、取得した音圧値データが２周期連続して閾値を超えたと判定された場合、ステップＳ５において記録部３０内の蓄積データの更新処理を行う。
【００４３】
すなわち、ステップＳ５では、今回周期での音圧値データが最高音圧値を更新したか否かを判定し、更新したときは記録部３０内に記録されている前回周期での音圧値データおよび発生時刻を、今回周期での各データに更新する。前記最高音圧値の更新がない場合は、記録部３０への記録も、データ更新もなされない。
【００４４】
このため、取得した音圧値データが２周期以上連続して閾値を超えたと判定された場合（音圧異常の継続中）は、音圧値データが最高音圧値を更新しても更新していなくても、継続している音圧異常の最初の音圧異常時の音圧異常記録（一つのレコード）のみが残る（最高音圧値更新時はその最高音圧値に更新された一つのレコードのみが残る）だけで、新たなレコードとして音圧異常記録の追加記録がなされることはない。
【００４５】
したがって、音圧異常が継続している場合、その音圧異常についての、最高音圧値を示す唯一の記録が残り、分かり易い。
【００４６】
このように記録部３０内の音圧異常記録（レコード）がむやみに増えることはなく、記録部３０の必要記録容量を低減することができる。
【００４７】
尚、ステップＳ４が終了したか、ステップＳ５が終了したか、ステップＳ２において音圧値データが閾値を超えていないと判定された場合は、音圧監視の処理を終了する（次の周期でステップＳ１を実行する）。
【００４８】
次に、図３のステップＳ４で異常監視対象のＨＤＤ１２０へのデータ書き込みテストの実施要求がなされた後の異常監視部５０の動作を図５のフローチャートとともに説明する。
【００４９】
前記データ書き込みテストの実施要求を受けた異常監視部５０は、ステップＳ１１において、ＨＤＤドライバ４０によって異常監視対象のＨＤＤ１２０へのデータ書き込みを行う。この際、例えば１００ＭＢほどの大きめサイズのデータを書き込む。
【００５０】
前記書き込みを行うとＨＤＤドライバ４０から書き込み異常監視部５０へ成否が返される。その返された成否に基づいて、ステップＳ１２ではデータ書き込み結果が異常か否かを判定する。
【００５１】
データ書き込み結果が異常であると判定された場合、音圧異常がディスク書き込みを阻害したと判断し、ステップＳ１３において、異常発生通知部６０に異常発生の通知を要求した後、ＨＤＤ書き込みテストの処理を終了する。
【００５２】
以上のように本実施形態例においては、音圧監視部２０が音圧監視（図３の処理）を行って音圧異常記録を記録部３０に記録しているので、その記録された音圧異常記録に基づいて、異常発生が例えば警報ブザー等による過大な音圧印加によるものか、又はそれ以外の例えば振動等によるものかを切り分けることができる。
【００５３】
また、書き込み異常監視部５０が書き込み異常監視（図５の処理）を行って異常発生通知部６０から異常発生を通知させるように構成しているので、ＨＤＤ異常の原因が、警報ブザー等による過大な音圧印加によるものなのか、設置環境の振動対策が不十分なのか、切り分けが可能になり、対策の検討が可能になる。
【００５４】
また音圧異常が継続する場合は、図３のステップＳ５の更新処理を行っているので、記録部３０の記録容量を低減することができる。
【００５５】
また、音圧センサ１３０を、筐体１００内の、筐体外周壁を構成している筐体板金１０１から所定距離内側に隔てて配設しているので、筐体１００に発生する振動の影響を受けることなく正確に音圧を計測することができる。
【符号の説明】
【００５６】
１０…音圧計測部
２０…音圧監視部
３０…記録部
４０…ＨＤＤドライバ
５０…書き込み異常監視部
６０…異常発生通知部
１００…筐体
１０１…筐体板金
１０２…蓋板
１１０…ＣＰＵユニット
１２０…ＨＤＤ
１３０…音圧センサ
１３１…音圧センサ取付け用部材
【図１】
2019109716.tif 000004
【図２】
2019109716.tif 000005
【図３】
2019109716.tif 000006
【図４】
2019109716.tif 000007
【図５】
2019109716.tif 000008